(57)【要約】【課題】高コントラスト比と高均一性を有する比較的暗い映像を投影することができる投影装置に関する【解決手段】  照明システム、投影レンズ、反射式ライトバルブ、第一の光束遮断ユニット及び第二の光束遮断ユニットを含む投影装置であり、照明システムは光束を提供し、投影レンズと反射式ライトバルブとは共に光束の伝播経路に設置され、反射式ライトバルブは照明システムと投影レンズとに間に設置される。また、第一の光束遮断ユニットと第二の光束遮断ユニットとは、異なる方向から光束の伝播経路に挿入され、それぞれ光束の一部を遮断し、光束の他の部分を通過させる。【選択図】  図3
2006133736.tif 000002
【特許請求の範囲】
【請求項１】
光束を提供する照明システムと、
前記光束の伝播経路に設置される投影レンズと、
前記光束の伝播経路において、前記照明システムと前記投影レンズとの間に設置される反射式ライトバルブと、
第一の光束遮断ユニットと、
第二の光束遮断ユニットとを有し、
前記第一の光束遮断ユニットと前記第二の光束遮断ユニットとは、異なる方向から前記光束の伝播経路に挿入され、それぞれ前記光束の一部を遮断し、前記光束の他の部分を通過させる
投影装置。
【請求項２】
前記第一の光束遮断ユニットと前記第二の光束遮断ユニットとは、前記投影レンズ上に設置され、前記投影レンズ中の前記光束の伝播経路に挿入される
請求項１に記載の投影装置。
【請求項３】
前記第一の光束遮断ユニットと前記第二の光束遮断ユニットとは、前記照明システム中に設置され、前記照明システム中の前記光束の伝播経路に挿入される
請求項１に記載の投影装置。
【請求項４】
前記第一の光束遮断ユニットは、前記照明システム中に設置され、前記照明システム中の前記光束の伝播経路に挿入される
前記第二の光束遮断ユニットは、前記投影レンズ上に設置され、前記投影レンズ中の前記光束の伝播経路に挿入される
請求項１に記載の投影装置。
【請求項５】
前記第一の光束遮断ユニットと前記第二の光束遮断ユニットとは、それぞれ複数の貫通穴を含む
請求項１に記載の投影装置。
【請求項６】
前記照明システムは光源を含み、当該光源が複数の出力パワーを有し、
前記第一の光束遮断ユニットと前記第二の光速ユニットとは、異なる方向から前記光束の伝播経路に挿入する間に、前記光源の出力パワーが第一のパワーであり、
前記第一の光束遮断ユニットと前記第二の光速ユニットとは、前記光束の伝播経路に挿入しない間に、前記光源の出力パワーが第二のパワーであり、
前記第二のパワーは前記第一のパワーより大きい
請求項１に記載の投影装置。
【請求項７】
前記照明システムに設置され、前記照明システム中の前記光束の伝播経路に挿入可能な光減衰器をさらに有する
請求項１に記載の投影装置。
【請求項８】
前記照明システムはライトインテグレーションロッドとリレーレンズを有し、
前記光減衰器は前記ライトインテグレーションロッドと前記リレーレンズとの間の前記光束の伝播経路に挿入される
請求項７に記載の投影装置。
【請求項９】
前記反射式ライトバルブは、ディジタルマイクロミラー装置または反射式液晶パネルを有する
請求項１に記載の投影装置。
【請求項１０】
光束を発する光源を有し、当該光源が複数の出力パワーを有する照明システムと、
前記光束の伝播経路に設置される投影レンズと、
前記光束の伝播経路において、前記照明システムと前記投影レンズの間に設置される反射式ライトバルブと、
前記投影レンズ上に設置され、前記投影レンズに挿入し、前記光束の一部を遮断する可能な光束遮断ユニットとを有し、
前記光束遮断ユニットは前記投影レンズに挿入する間に、前記光源の出力パワーは第一のパワーであり、
前記光束遮断ユニットは前記投影レンズに挿入しない間に、前記光源の出力パワーは第二のパワーであり、
前記第二のパワーが前記第一のパワーより大きい
投影装置。
【請求項１１】
前記照明システムに設置され、前記照明システム中の前記光束の伝播経路に挿入される可能な光減衰器をさらに有する
請求項１０に記載の投影装置。
【請求項１２】
前記照明システムはライトインテグレーションロッドとリレーレンズを有し、
前記光減衰器は前記ライトインテグレーションロッドと前記リレーレンズとの間の前記光束の伝播経路に挿入される
請求項１１に記載の投影装置。
【請求項１３】
前記光束遮断ユニットは、複数の貫通穴を含む
請求項１０に記載の投影装置。
【請求項１４】
前記反射式ライトバルブは、ディジタルマイクロミラー装置または反射式液晶パネルを有する
請求項１０に記載の投影装置。
【請求項１５】
光束を提供する照明システムと、
前記光束の伝播経路に設置される投影レンズと、
前記光束の伝播経路において前記照明システムと前記投影レンズとの間に設置される反射式ライトバルブと、
前記投影レンズ上に設置され、前記投影レンズ中に挿入し、前記光束の一部を遮断する光束遮断ユニットと、
前記照明システム中に設置され、前記照明システム中の前記光束の伝播経路に挿入する光減衰器と、
を有する投影装置。
【請求項１６】
前記照明システムはライトインテグレーションロッドとリレーレンズを有し、
前記光減衰器は前記ライトインテグレーションロッドと前記リレーレンズとの間の前記光束の伝播経路に挿入する
請求項１５に記載の投影装置
【請求項１７】
前記光束遮断ユニットは、複数の貫通穴を含む
請求項１５に記載の投影装置。
【請求項１８】
前記反射式ライトバルブは、ディジタルマイクロミラー装置または反射式液晶パネルを有する
請求項１５に記載の投影装置。
【請求項１９】
光束を提供する照明システムと、
前記光束の伝播経路に設置される投影レンズと、
前記光束の伝播経路において、前記照明システムと前記投影レンズとの間に設置される反射式ライトバルブと、
前記投影レンズ上に設置され、前記投影レンズ中に挿入し、前記光束の一部を遮断する可能であり、複数の貫通穴を含む光束遮断ユニットと、
を有する投影装置。
【請求項２０】
前記反射式ライトバルブは、ディジタルマイクロミラー装置または反射式液晶パネルを有する
請求項１９に記載の投影装置。
【発明の詳細な説明】
【技術分野】
【０００１】
本発明は、映像投影装置に関し、特に、高コントラスト比と高均一性を有する比較的暗い映像（以下、暗映像と言う）を投影することができる投影装置に関する。
【背景技術】
【０００２】
近年、サイズが大きく且つ重い陰極線管(Cathode  Ray  Tube、CRT)投影装置は、液晶投影装置及びディジタルライトプロセシング(Digital  Light  Processing、DLP)投影装置等に取り替えられつつある。液晶投影装置とDLP投影装置等の製品は、軽くて薄く且つ携帯容易などの特徴があり、他のデジタル製品と直接接続し、映像を映し出すことができる。また、各メーカーが安価且つ競争力のある製品を提供し、更に製品に付加機能を増やし続けてきた。そのため、これらの製品は、企業、学校、公共的場所などのみならず、一般家庭でも使用されつつある。よって、如何に投影装置の映像品質を向上し、製品の競争力を高めるかは、重要な課題である。
【０００３】
映像の品質を向上するために、従来は、ダイナミック・ブラック（Dynamic  Black）技術を用いる方法がある。この方法では、投影レンズに移動可能な光束遮断ユニットを加える。この光束遮断ユニットは、映像の輝度に基づき移動することにより、映像のコントラクト比を変更し、映像の品質を向上することができる。
【０００４】
図1は、従来の投影装置の構造図である。図1に示すように、従来の投影装置100は、照明システム110、投影レンズ120、ディジタルマイクロミラー装置(Digital  Micro-mirror  Device、DMD)130及び光束遮断ユニット140を含む。照明システム110は光源112を有し、光源112は光束112aを発する。投影レンズ120と照明システム110とは、共に光束112aの伝播経路に設置され、ディジタルマイクロミラー装置130は、照明システム110と投影レンズ120との間に設置される。また、光束遮断ユニット140は、投影レンズ120に設置され、光束112aの伝播経路に挿入し、光束112aの一部を遮断することが可能である。
【０００５】
上述した投影装置100に、光源112からの光束112aは、順次にカラーホイール（Color  Wheel）114、ライトインテグレーションロッド（Light  Integration  Rod）116及びリレーレンズ（Relay  Lens）118を通過し、内面全反射プリズム(TIR  Prism)119によりディジタルマイクロミラー装置130に反射される。ディジタルマイクロミラー装置130は複数のレンズ（図示されていない）を含み、ON状態のレンズは光束112aを投影レンズ120に反射させ、OFF状態のレンズは光束112aを投影レンズ120から偏向させる。その後、投影レンズ120に反射された光束112aは、スクリーン300に投影され、映像を形成する。
【０００６】
図2は、従来の光束遮断ユニット140の動作様子を示す図である。図1と図2に示すように、投影装置100により比較的暗い映像（以下、暗映像と言う）が投影されるときに、投影レンズ120に設置される光束遮断ユニット140は、光束112aの伝播経路に挿入し、光束112aの一部を遮断することができる。これにより、暗映像の輝度を減少し、暗映像のコントラスト比を高くすることができる。
【０００７】
しかし、光束遮断ユニット140は光束112aの片側のみを遮断するので、投影された映像の片側が暗く、その他の側が明るい不具合が生じる。また、光束遮断ユニット140を投影レンズ120に移動するために、投影レンズ120を切断する必要がある。よって、投影レンズ120の切断された部分が大きすぎるとは、投影レンズ120の構造に悪影響を与え、レンズ120が断裂する可能性がある。逆に、投影レンズ120の切断された部分が小さすぎるとは、光束遮断ユニット140が光束112aを少ししか遮断できず、暗映像のコントラクト比を向上することができない。
【発明の開示】
【発明が解決しようとする課題】
【０００８】
本発明の目的は、二つの光束遮断ユニットにより、高コントラスト比と高均一性を有する比較的暗い映像（以下、暗映像と言う）を投影できる投影装置を提供することにある。
【０００９】
本発明の他の目的は、複数の出力パワーを有する光源により、高コントラスト比と高均一性を有する暗映像を投影できる投影装置を提供することにある。
【００１０】
本発明の他の目的は、光減衰器により高コントラスト比と高均一性を有する暗映像を投影できる投影装置を提供することにある。
【００１１】
本発明の他の目的は、複数の貫通穴を有する光束遮断ユニットにより、高コントラスト比と高均一性を有する暗映像を投影できる投影装置を提供することにある。
【課題を解決するための手段】
【００１２】
上記目的を達成するために、本発明は、照明システム、投影レンズ、反射式ライトバルブ、第一の光束遮断ユニット及び第二の光束遮断ユニットを含む投影装置を提供する。前記照明システムは光束を発する。前記投影レンズと前記反射式ライトバルブとは、共に前記光束の伝播経路に設置され、前記反射式ライトバルブは、前記照明システムと前記投影レンズの間に設置される。また、前記第一の光束遮断ユニットと前記第二の光束遮断ユニットとは、それぞれ異なる方向から前記光束の伝播経路に挿入することにより、前記光束の一部を遮断し、前記光束の他の部分を通過させる。
【００１３】
上述した投影装置に、前記第一の光束遮断ユニットと前記第二の光束遮断ユニットとは、例えば、前記投影レンズに設置され、前記投影レンズ中の光束の伝播経路に挿入されることができる。
【００１４】
上述した投影装置に、前記第一の光束遮断ユニットと前記第二の光束遮断ユニットとは、例えば、前記照明システムに設置され、前記照明システム中の光束の伝播経路に挿入されることができる。
【００１５】
上述した投影装置に、前記第一の光束遮断ユニットは、例えば、前記照明システムに設置され、前記照明システム中の光束の伝播経路に挿入されることができ、前記第二の光束遮断ユニットは、例えば、前記投影レンズに設置され、前記投影レンズ中の光束の伝播経路に挿入されることができる。
【００１６】
上述した投影装置に、前記第一の光束遮断ユニットと前記第二の光束遮断ユニットとは、例えば、それぞれ複数の貫通穴を有する。
【００１７】
上述した投影装置に、前記照明システムは、例えば、光源であり、前記光源は、複数の出力パワーを有する。前記第一の光束遮断ユニットと前記第二の光束遮断ユニットとは、それぞれ異なる方向から光束の伝播経路に挿入する間に、前記光源の出力パワーは、第一のパワーであり、その他の間に、前記光源の出力パワーは第二のパワーであり、前記第二のパワーは、前記第一のパワーより大きい。
【００１８】
上述した投影装置に、例えば、さらに、前記照明システムに設置される光減衰器を有し、前記光減衰器は、前記照明システム中の光束の伝播経路に挿入されることができる。また、前記照明システム中には、例えば、ライトインテグレーションロッドとリレーレンズを有し、前記光減衰器は、前記ライトインテグレーションロッドと前記リレーレンズとの間の光束の伝播経路に挿入されることができる。
【００１９】
上述した投影装置に、反射式ライトバルブは、ディジタルマイクロミラー装置或いは反射式液晶パネルである。
【００２０】
本発明は、照明システム、投影レンズ、反射式ライトバルブ及び光束遮断ユニットを含む他の投影装置を提供する。前記照明システムは光源を有し、前記光源は光束を発し、また、前記光源は複数の出力パワーを有する。前記投影レンズと反射式ライトバルブとは、共に前記光束の伝播経路に設置され、前記反射式ライトバルブは、前記照明システムと前記投影レンズの間に設置される。また、前記光束遮断ユニットは、前記投影レンズに設置され、前記投影レンズに挿入することにより、前記光束の一部を遮断する。前記光束遮断ユニットは前記投影レンズに挿入する間に、前記光源の出力パワーは第一のパワーであり、その他の間に、光源の出力パワーは第二のパワーであり、前記第二のパワーは前記第一のパワーより大きい。
【００２１】
上述した投影装置に、例えば、さらに、前記照明システムに設置される光減衰器を有し、前記光減衰器は、前記照明システム中の光束の伝播経路に挿入されることができる。また、前記照明システムには、例えば、ライトインテグレーションロッドとリレーレンズを有し、前記光減衰器は、前記ライトインテグレーションロッドとリレーレンズとの間の光束の伝播経路に挿入されることができる。
【００２２】
上述した投影装置に、前記光束遮断ユニットは、例えば、複数の貫通穴を有する。
【００２３】
上述した投影装置に、反射式ライトバルブは、ディジタルマイクロミラー装置或いは反射式液晶パネルである。
【００２４】
本発明は、照明システム、投影レンズ、反射式ライトバルブ、光束遮断ユニット及び光減衰器を含む他の投影装置を提供する。前記照明システムは光束を発し、前記投影レンズと反射式ライトバルブとは、共に前記光束の伝播経路に設置され、反射式ライトバルブは、前記照明システムと前記投影レンズとの間に設置される。前記光束遮断ユニットは前記投影レンズに設置され、前記光束遮断ユニットは前記投影レンズに挿入することにより、前記光束の一部を遮断する。また、前記光減衰器は前記照明システムに設置され、前記光減衰器は前記照明システム中の光束の伝播経路に挿入されることができる。
【００２５】
上述した投影装置に、前記照明システムは、例えば、ライトインテグレーションロッドとリレーレンズを有し、前記光減衰器は、前記ライトインテグレーションロッドとリレーレンズとの間の光束の伝播経路に挿入されることができる。
【００２６】
上述した投影装置に、前記光束遮断ユニットは、例えば、複数の貫通穴を有する。
【００２７】
上述した投影装置に、反射式ライトバルブは、ディジタルマイクロミラー装置或いは反射式液晶パネルである。
【００２８】
本発明は、照明システム、投影レンズ、反射式ライトバルブ及び光束遮断ユニットを含む他の投影装置を提供する。前記照明システムは光束を発し、前記投影レンズと前記反射式ライトバルブとは、共に前記光束の伝播経路に設置され、前記反射式ライトバルブは、前記照明システムと前記投影レンズとの間に設置される。また、前記光束遮断ユニットは複数の貫通穴を有し、前記投影レンズに設置され、前記投影レンズに挿入することにより、前記光束の一部を遮断する。
【００２９】
上述した投影装置に、反射式ライトバルブは、ディジタルマイクロミラー装置或いは反射式液晶パネルである。
【発明の効果】
【００３０】
本発明は、投影装置が比較的暗い映像（以下、暗映像と言う）を投影する間に、二つの光束遮断ユニットが異なる方向から光束の伝播経路に挿入することにより、それぞれ光束の一部を遮断する。これにより、本発明の投影装置は、高コントラスト比と高均一性を有する暗映像を投影することができる。
【００３１】
また、本発明は、投影装置が暗映像を投影する間に、複数の出力パワーを有する光源或いは光減衰器により、投影レンズに入射した光束を弱める。これにより、光束遮断ユニットは光束の少ない一部を遮断すれば、暗映像のコントラスト比を高くすることができる。また、光束の遮断された部分は少ないので、高均一性を有する暗映像を投影することができる。
【００３２】
また、本発明は、複数の貫通穴を有する光束遮断ユニットを用いるので、光束の一部を前記複数の貫通穴を通過させる。これにより、暗映像のコントラスト比を高くすることができるのみならず、暗映像の均一性を改善することができる。
【発明を実施するための最良の形態】
【００３３】
次に、添付した図面を参照しながら、本発明の好適な実施形態を詳細に説明する。
【００３４】
図3は、本発明の好適な実施形態に係る投影装置の構造図である。図3に示すように、本実施形態の投影装置200は、照明システム210、投影レンズ220、反射式ライトバルブ230及び二つの光束遮断ユニット240と250を含む。照明システム210は光源212を有し、光源212は光束212aを発する。投影レンズ220と反射式ライトバルブ230とは、共に光束212aの伝播経路に設けられ、反射式ライトバルブ230は、照明システム210と投影レンズ220との間に設けられる。また、二つの光束遮断ユニット240と250は、投影レンズ220に設置され、異なる方向から光束212aの伝播経路に挿入することにより、それぞれ光束212aの一部を遮断し、光束212aの他の部分を通過させることができる。
【００３５】
上述した投影装置200に、光源212からの光束212aは、順次にカラーホイール214、ライトインテグレーションロッド216及びリレーレンズ218を通過し、内面全反射プリズム219により反射式ライトバルブ230に反射される。反射式ライトバルブ230は、ディジタルマイクロミラー装置或いは反射式液晶パネルであり、本実施形態にディジタルマイクロミラー装置を例として、ON状態を有するディジタルマイクロミラー装置は、光束212aを投影レンズ220に反射させ、OFF状態を有するディジタルマイクロミラー装置は、光束212aを投影レンズ220から偏向させる。その後、投影レンズ220に反射された光束212aは、スクリーン300に投影され、映像を形成する。
【００３６】
図4Aと図4Bは、本発明の好適な実施形態に係る二つの光束遮断ユニットの動作を示す図である。図3と図4Aに示すように、投影装置200が明るい映像を投影する時に、投影レンズ220に設けられる第一の光束遮断ユニット240と第二の光束遮断ユニット250とは、光束212aを遮断しない。一方、図3と図4Bに示すように、投影装置200が暗映像を投影する時に、投影レンズ220に設けられる二つの光束遮断ユニット240と250は、それぞれ角度θ（図4A）を回転し、光束212aの伝播経路に挿入されることにより、光束212aの一部を遮断し、光束212aの他の部分を通過させる。
【００３７】
投影装置200が暗映像を投影するときに、光束212aの一部が遮断されるので、暗映像の輝度を減少し、暗映像のコントラスト比を向上することができる。また、二つの光束遮断ユニット240と250は、それぞれ異なる方向から挿入するので、暗映像は、一方の側が明るく、他方の側が暗い不具合が生じ難い。これにより、暗映像の均一性を向上する。また、本実施形態は、二つの光束遮断ユニット240と250で光束212aの一部を同時に遮断するので、二つの光束遮断ユニット240と250の投影レンズ240に挿入する角度θは、大きくなくても、コントラスト比を大幅に高める目的を達成することができる。これにより、投影レンズ240の必要とされる切断部分が少なく、投影レンズ240が断裂しにくい。
【００３８】
図5Aと図5Bは、図3の光束遮断ユニットが他の位置に設けられる図である。図5Aに示すように、光束遮断ユニット240と250は、共に照明システム210に設置されてもよい。図5Aに示すように、二つの光束遮断ユニット240と250は、ライトインテグレーションロッド216及びリレーレンズ218との間に設置される。しかし、二つの光束遮断ユニット240と250は、共に或いは別々に、カラーホイール214とライトインテグレーションロッド216との間に、リレーレンズ218に、内面全反射プリズム219と反射式ライトバルブ230との間に、或いは内面全反射プリズム219と投影レンズ220との間に設けられても良い。
【００３９】
また、図5Bに示すように、光束遮断ユニット240と250は、それぞれ照明システム210及び投影レンズ220に設置される。図5Bに、光束遮断ユニット240は、ライトインテグレーションロッド216とリレーレンズ218との間に設けられる。しかし、光束遮断ユニット240は、カラーホイール214とライトインテグレーションロッド216との間に、リレーレンズ218に、内面全反射プリズム219と反射式ライトバルブ230との間に、或いは内面全反射プリズム219と投影レンズ220との間に設けられても良い。
【００４０】
また、図3に示すように、本発明の好適な実施形態に照明システム210の光源212は、複数の出力パワーを有する。光束遮断ユニット240と250は、異なる方向から光束212aの伝播経路に挿入する間に、光源212の出力パワーは第一のパワーである。その他の間に、光源212の出力パワーは第二のパワーであり、第二のパワーは第一のパワーより大きい。よって、投影装置200が明るい映像を投影する時に、光源212は強い光束212aを発する。投影装置200が暗映像を投影する時に、光源212は弱い光束212aを発する。これにより、光束遮断ユニット240と250の投影レンズ240に挿入する角度θ（図4A）は、さらに小さくなるので、投影レンズ220がさらに断裂しにくい。また、光束遮断ユニット240と250により光束212aの遮断される部分が小さくなるので、暗映像の均一性を高めることができる。
【００４１】
図6は、本発明の好適な実施形態に係る他の投影装置の構成図である。図6に示すように、投影装置200に光減衰器260が照明システム210に設けられても良い。投影装置200が明るい映像を投影する時に、光減衰器260は光束212aの伝播経路の側に位置される。一方、投影装置200が暗映像を投影する時に、光減衰器260は照明システム中の光束212aの伝播経路に挿入し、光束212aの透過率を下げる。よって、光束212aは光減衰器260を通過する時に弱くなるので、光束遮断ユニット240と250の投影レンズ240に挿入する角度θ（図4A）は、さらに小さくなることにより、投影レンズ220がさらに断裂しにくい。また、光束遮断ユニット240と250により光束212aの遮断される部分が小さくなるので、暗映像の均一性を高めることができる。
【００４２】
なお、図6において光減衰器260は、ライトインテグレーションロッド216とリレーレンズ218との間に設けられ、ライトインテグレーションロッド216とリレーレンズ218との間の光束212aの伝播経路に挿入する。しかし、光減衰器260は、照明システム中の他の位置に設置されても良く、例えば、カラーホイール214とライトインテグレーションロッド216との間に設置される。
【００４３】
図7は、本発明の好適な実施形態に係る光束遮断ユニットの構成図である。図3と図7に示すように、投影装置200に、光束遮断ユニット240と250はそれぞれ複数の貫通穴242と252を含む。光束遮断ユニット240と250は光束212aの伝播経路に挿入する時に、複数の貫通穴242と252は光束212aの一部を通過させる。これにより、暗映像の均一性を高めることができる。
【００４４】
なお、本発明の好適な実施形態に、複数の貫通穴242を有する光束遮断ユニット240、複数の出力パワーを有する光源212、及び光減衰器260（図6）は、個別に、同時に、或いは任意の組み合わせで投影装置200に用いられても良い。
【００４５】
ゆえに、本発明の投影装置は、投影装置が暗映像を投影する間に、二つの光束遮断器が異なる方向から光束の伝播経路に挿入し、光束の一部を遮断することにより、高コントラスト比と高均一性を有する暗映像を投影することができる。また、光束遮断ユニットの投影レンズに挿入する角度を大きくしなくても、コントラスト比を大幅に高める目的を達成することができるので、投影レンズの必要される切断部分が少なく、投影レンズが断裂しにくい。
【００４６】
また、本発明の投影装置は、複数の出力パワーを有する光源或いは光減衰器を使用することにより、投影装置が暗映像を投影する間に、投影レンズに入射した光束を弱くすることができるので、投影レンズの必要される切断部分がさらに少なくなり、投影レンズがさらに断裂しにくくなる。また、光束の遮断された部分が少ないので、暗映像の均一度をさらに高めることができる。また、本発明の投影装置は、複数の貫通穴を有する光束遮断ユニットを使用することにより、光束の一部が前記複数の貫通穴を介して通過するので、暗映像の均一性をさらに高くすることができる。
【００４７】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００４８】
【図１】従来の投影装置の構成図である。
【図２】従来の光束遮断ユニットの動作を示す図である
【図３】本発明の好適な実施例に係る投影装置の構成図である。
【図４Ａ】本発明の好適な実施例に係る二つの光束遮断ユニットの動作を示す図である。
【図４Ｂ】本発明の好適な実施例に係る二つの光束遮断ユニットの動作を示す図である。
【図５Ａ】図3の光束遮断ユニットが他の位置に設けられる構成図である。
【図５Ｂ】図3の光束遮断ユニットが他の位置に設けられる構成図である。
【図６】本発明の好適な実施例に係る他の投影装置の構成図である。
【図７】本発明の好適な実施例に係る光束遮断ユニットの構成図である。
【符号の説明】
【００４９】
100、200  投影装置
110、210  照明システム
112、212  光源
112a、212a  光束
114、214  カラーホイール
116、216  ライトインテグレーションロッド
118、218  リレーレンズ
119、219  内部全反射プリズム
120、220  投影レンズ
130  ディジタルマイクロミラー装置
140、240、250  光束遮断ユニット
230  反射式ライトバルブ
242、252  貫通穴
260  光減衰器
300  スクリーン
【図１】
2006133736.tif 000003
【図２】
2006133736.tif 000004
【図３】
2006133736.tif 000005
【図４Ａ】
2006133736.tif 000006
【図４Ｂ】
2006133736.tif 000007
【図５Ａ】
2006133736.tif 000008
【図５Ｂ】
2006133736.tif 000009
【図６】
2006133736.tif 000010
【図７】
2006133736.tif 000011